(57)【要約】【課題】操作部の蓋が開いた状態で力がかかると壊れやすい。【解決手段】蓋の保持部品で蓋の軸を組み立てる溝とは別に溝が設けられていて、蓋に力が掛ると溝より軸が抜けて蓋取れることで壊れない。【選択図】図５
2018124332.tif 000002
【特許請求の範囲】
【請求項１】
一対の軸部を有した蓋と、
上記蓋の軸部に嵌合する保持部材と、
上記保持部材を固定することができる筺体を備え、
上記保持部材には筺体側の第一の溝と、第二の溝を有し、
上記第一の溝は軸径よりも開口が大きく、上記第二の溝は軸より開口が小さいことを特徴とする撮像装置。
【請求項２】
上記保持部材の上記第二の溝は両端の軸保持部を貫通していることを特徴とする請求項１に記載の撮像装置。
【発明の詳細な説明】
【技術分野】
【０００１】
本発明は、撮像装置の蓋に関するものである。
【背景技術】
【０００２】
放送用・業務用のビデオカメラは、その本体を撮影者の肩に担いで撮影する肩乗せ型の撮影スタイルが多く採用されている。ビデオカメラを安定して担ぐために、ビデオカメラの底面部には肩を接地させる肩パッドが設けられている。本体には、ビデオカメラを担ぎながら設定を変更するため、ビデオカメラ側面の撮影者の肩の上となる位置に操作部が設けられている。
【０００３】
このような放送用・業務用のビデオカメラでは、操作部には操作時以外に誤操作しないために回転式の蓋が設けれれているものが一般的である。しかし、撮影中に操作しようとして蓋をあけると、開いた蓋が肩など身体に当たり予期せぬ力がかかることで、蓋のヒンジ部が壊れることが問題であった。そのため、ある一定以上の力がかかると蓋が外れて、外れた蓋が再度取り付けられ元に戻る構造は、蓋が壊れない手法の一つとして用いられている。
【０００４】
一方、従来より電子機器には様々な理由で取り外せる蓋が設けられている（たとえば、特許文献１参照）。この先行技術では蓋の両側に設けられたヒンジの一方が退避可能な軸が構成されている。
【先行技術文献】
【特許文献】
【０００５】
【特許文献１】特許第５３８３３９１号
【発明の概要】
【発明が解決しようとする課題】
【０００６】
しかしながら、特許文献１に記載の従来の技術では、退避可能な軸を構成するため、蓋と相対的に動くことができる可動軸部品や可動軸を保持する付勢ばねが必要となる。このため、部品数が多くなり大型化やコストアップとなる問題があった。
【課題を解決するための手段】
【０００７】
本発明の肩乗せ型撮像装置は、一対の軸部を有した蓋と、蓋の軸部に嵌合する保持部材と、保持部材を固定することができる筺体を備え、保持部材には筺体側の第一の溝と、第二の溝を有し、第一の溝は軸径よりも開口が大きく、第二の溝は軸より開口が小さいことを特徴とする。また、本発明の他の特徴とするところは、保持部材の第二の溝は両端の軸保持部を貫通していることを特徴とする。
【発明の効果】
【０００８】
本発明によれば、操作部の蓋が壊れることなく扱える使い勝手の良い放送用・業務用のビデオカメラを提供することが可能となる。
【図面の簡単な説明】
【０００９】
【図１】肩乗せ型撮像装置１００の斜視図。
【図２】本体部１０１の斜視図。
【図３】操作部１１１の詳細図。
【図４】蓋周辺の斜視図。
【図５】蓋周辺の断面図。
【図６】蓋支持部品１１３の詳細図。
【発明を実施するための形態】
【００１０】
以下に本発明の実施形態を添付図面に基づいて説明する。
［実施の形態］
＜肩乗せ型撮像装置の構成要素説明＞
まず最初に図１を用いて肩乗せ型撮像装置１００の構成を説明する。図１は、本発明の肩乗せ型撮像装置１００の斜視図である。なお、本実施の形態においては、被写体に向かう方向で上下左右とし、被写体側を正面、正面と対向する面を背面と定義し説明を行う。
【００１１】
本実施例に示す肩乗せ型撮像装置１００は図１に示すように、本体部１０１  、肩乗せユニット１０２、ファインダー１０３、レンズ部１０４、バッテリー１０５から構成されている。肩乗せ型撮像装置１００を使用する際には、撮影者が自身の右肩の上に肩乗せユニット１０２を乗せる形で担ぎ、肩乗せ型撮像装置１００の左側面に撮影者の右頬を当てながら把持し、バランスを取りながら保持する形態を取ることが最も安定して撮影出来る姿勢である。そのため、本実施例に示す肩乗せ型撮像装置１００も、この撮影姿勢を前提に各部の配置を行っている。
【００１２】
次に、肩乗せ型撮像装置１００の各構成要素について説明を行う。本体部１０１は、肩乗せ型撮像装置１００の撮影に関する主たる要素を持った部位であり、その詳細は後述する。肩乗せユニット１０２は、本体部１０１の底面部に連結されるユニットであり、撮影時には撮影者の肩に当接し、肩乗せ型撮像装置１００を安定的に保持する部位である。ファインダー１０３は、内部に液晶等の表示装置と複数の光学レンズを有する接眼光学ユニットであり、撮影中の映像信号に基づき画像を表示し、表示された画像を光学的に拡大させ、撮影者に対して現在撮影している画像情報を伝達するための部位である。
【００１３】
ファインダー１０３は、肩乗せ型撮像装置１００の左側面に不図示のアングルを介して本体部１０１上部に連結されている。これは、肩乗せ型撮像装置１００を担いでいる撮影者のちょうど目の正面であり、撮影時には自然にファインダー１０３の最後端部の接眼部１０３１に目周辺を押し当て、内部を覗き込むことによって画像を確認することが可能になっている。これにより、例えば炎天下など、外部からの光が強い場所においても良好に撮影画像を目視することが可能となっている。
【００１４】
レンズ部１０４は、複数枚のレンズ群、絞り等の可動可能な複数の光学要素、およびこれらの光学要素を駆動させるアクチュエータを有しており、本体部１０１に内包されている撮像素子（不図示）上に結像する光学系である。なお、所定のレンズを移動させることにより、撮影画像の画角を変化させるズームや、被写体にピントを合わせるフォーカスを行うことができる。また、レンズ部１０４は本体部１０１に対して着脱自在に構成されている。バッテリー１０５は、本体部１０１に対して着脱自在に構成されている。例えばリチウムイオン電池等の二次電池であり、肩乗せ型撮像装置１００に電力を供給するものである。
【００１５】
＜本体部の構成要素説明＞
次に、本体部１０１の構成要素について説明する。図２は、本発明の本体部１０１の斜視図である。本体部１０１は、レンズマウント部１０６、バッテリー取付部１０８、表示部１０９、スピーカー部１１０、操作部１１１を備えている。また、内部には図中不図示の撮像素子、制御回路、記録部などを備えている。
【００１６】
レンズマウント部１０６は、本体部１０１の正面に備えている、レンズ部１０４が取りつく部位であり、レンズ部１０４が機械的に取りつく。また、電気接点部を備えており、本体部１０１とレンズ部１０４とは電気的にも接続される。これにより、本体部１０１はレンズ部１０４と通信し、レンズ部１０４の内部にあるアクチュエーターを制御することが可能となっている。
【００１７】
バッテリー取付部１０８は、本体部１０１の後方に備えている、バッテリー１０５を着脱自在に保持する部位であり、バッテリー１０５を機械的に保持しつつ電気的にも接続する部位である。表示部１０９は本体部１０１の左側面に備えている。表示部１０９には片面に液晶パネルなどの画像が表示できる表示パネルがあり、撮影および再生画像の表示や設定状態の表示ができる部位である。表示部１０９はヒンジを介して本体部１０１とつながっており、適宜位置を変えて表示パネルを見ることができる。
【００１８】
スピーカー部１１０は、本体部１０１の左側側面に備えている、音声を再生するための部位である。撮影者の耳の位置は撮影者の肩の直上であるため、スピーカー部１１０は肩乗せユニット１０２の上になるように配置されている。
【００１９】
＜操作部の構成要素説明＞
操作部１１１は、本体部１０１の左側側面に備えている、本体部の設定を変更するための指示部である。操作部１１１に面して操作部１１１を覆う蓋１１２を備え、蓋１１２を閉めた状態では誤操作などを防止したり、操作部１１１を外力から守ることが可能である。また、蓋１１２は開けた状態では、操作部１１１などが露出し、操作可能になる（図３）。
【００２０】
次に、蓋を構成する部品について説明する。図４は蓋周りの構成部品の斜視図である。蓋部の主な部品は蓋１１２と蓋支持部品１１３で構成される。蓋１１２は操作部を覆うカバーとなる部品で、軸をもつ部品である。蓋支持部品１１３は蓋１１２の軸部を支持する部品である。蓋支持部品１１３は蓋１１２の軸部１１２１が係合して蓋を保持し、本体部１０１にねじどめで固定される。
【００２１】
次に、蓋の軸部１１２１の着脱について説明する。図５は蓋が開いたときの断面図である。蓋支持部品１１３は軸が通過することができる軸径より太いＵ字溝１１３１があり、軸部をＡ方向から挿入することができる。蓋支持部品１１３はこの状態でねじ止め固定すると、不図示の本体部１０１でＵ字溝１１３１を塞ぎ軸の位置が保持される。
【００２２】
また、蓋支持部品１１３には軸径より細い退避溝１１３２がある。蓋１１２は操作部を使用するために開かれると、蓋と本体の凸部１０１１が当接する。さらに蓋は開こうとする方向に力をかけられると、蓋の軸部は凸部１０１１を支点にＢの方向へ移動する力が掛る。ある一定以上の力が掛った時、蓋支持部品１１３は変形し、軸が退避溝１１３２から外れる。
【００２３】
次に、退避溝１１３２の詳細を説明する。図６は蓋支持部品１１３の拡大図である。蓋支持部品１１３の退避溝１１３２は図６のように軸を保持する両端に貫通している。これにより、蓋支持部品１１３は軸が抜ける際に図６で示す矢印方向にがばねのようにしなるため、塑性変形を生じない。そのため、再装着した場合にも、蓋の保持力は変わることがない。
【００２４】
以上のことより、操作部の蓋が開いた状態で力が掛っても、蓋が壊れることなく元の良好な状態に戻すことが可能となる。
【符号の説明】
【００２５】
１００  ・・・・  肩乗せ型撮像装置
１０１  ・・・・  本体部
１０１１  ・・・・  凸部
１０２  ・・・・  肩乗せユニット
１０３  ・・・・  ファインダー
１０３１  ・・・・  接眼部
１０４  ・・・・  レンズ部
１０５  ・・・・  バッテリー
１０５１  ・・・・  バッテリー保持部
１０６  ・・・・  レンズマウント部
１０８  ・・・・  バッテリー取付部
１０９  ・・・・  表示部
１１０  ・・・・  スピーカー部
１１１  ・・・・  操作部
１１２  ・・・・  蓋
１１２１  ・・・・  軸部
１１３  ・・・・  蓋支持部品
１１３１  ・・・・  Ｕ字溝
１１３２  ・・・・  退避溝
【図１】
2018124332.tif 000003
【図２】
2018124332.tif 000004
【図３】
2018124332.tif 000005
【図４】
2018124332.tif 000006
【図５】
2018124332.tif 000007
【図６】
2018124332.tif 000008